(57)【要約】      （修正有）【課題】ＤＶＤコンテンツを再生鑑賞できるようにしたカメラ付きＴＶを提供する。【解決手段】薄型ＴＶ１の土台部分にＤＶＤスロットルとデジタルカメラをつけた部品２を内蔵する。【選択図】図１
0003136260.tif 000002
【実用新案登録請求の範囲】
【請求項１】
従来の薄型ＴＶなどのＴＶにはインターネットなどでの配信カメラ（デジタル）がついてなかった。内蔵しＤＶＤなどの録画か再生スロットルをつければ音楽もきける機能までつける、そこで今回の考案である。
デジタルカメラ内蔵で、しかもスロットルがあり音楽映画インターネットと可能性を広げる。ＴＶとしてはさらにハイビジョンでインターラクティヴである。
電子回路説明などは従来品のために省く。
薄型ＴＶに小型ＤＶＤプレーヤを内蔵一体化する。録画はＴＶのハードデスク、再生はスロットル。
【考案の詳細な説明】
【技術分野】
【０００１】この考案は、おもにＴＶに関するものである
【考案の開示】
【考案が解決しようとしている課題】
【０００２】上記同じ。ＴＶとＤＶＤプレーヤ等の内蔵により不便を解決する。（一体化）
【考案が解決しようとする課題】
【０００３】上記同じ。
【考案の効果】
【０００４】上記同じ。
0003136260.tif 000003
【手続補正書】
【提出日】平成18年8月31日(2006.8.31)
【手続補正１】
【補正対象書類名】実用新案登録請求の範囲
【補正対象項目名】全文
【補正方法】変更
【補正の内容】
【実用新案登録請求の範囲】
【請求項１】
薄型ＴＶにデジタルカメラとＤＶＤスロットルを内臓して  他のＤＶＤコーダーとリンクさせ付加価値をつける。
【手続補正２】
【補正対象書類名】明細書
【補正対象項目名】全文
【補正方法】変更
【補正の内容】
【考案の詳細な説明】
【技術分野】
【０００１】  ＴＶに関するもの
【考案が解決しようとしている課題】
【０００２】  薄型ＴＶにデジタルカメラとＤＶＤスロットルを内臓して、他のＤＶＤコーダーとリンクさせ付加価値をつける。
【考案が解決しようとしている課題】
【０００３】  薄型ＴＶにデジタルカメラとＤＶＤスロットルを内臓して、他のＤＶＤコーダーとリンクさせ付加価値をつける。
【考案の効果】
【０００４】  薄型ＴＶにデジタルカメラとＤＶＤスロットルを内臓して、他のＤＶＤコーダーとリンクさせ付加価値をつける。
【図面の簡単な説明】
【０００５】
【図１】ＴＶとＤＶＤコーダー
【手続補正３】
【補正対象書類名】図面
【補正対象項目名】全図
【補正方法】変更
【補正の内容】
【図１】
0003136260.tif 000004
【手続補正書】
【提出日】平成18年11月30日(2006.11.30)
【手続補正１】
【補正対象書類名】明細書
【補正の内容】
0003136260.tif 000005
0003136260.tif 000006
0003136260.tif 000007
0003136260.tif 000008
【手続補正書】
【提出日】平成19年2月19日(2007.2.19)
【手続補正１】
【補正対象書類名】実用新案登録請求の範囲
【補正対象項目名】全文
【補正方法】変更
【補正の内容】
【実用新案登録請求の範囲】
【請求項１】
薄型ＴＶの土台部分にＤＶＤスロットル器材が内蔵されており（ＤＶＤプレーヤーのＣＤ再生機械およびカメラ内蔵）
他のＤＶＤコンテンツ融合といいための器材部品である
【手続補正２】
【補正対象書類名】手続補正書
【補正対象項目名】手続補正１
【補正の内容】
【手続補正１】
【補正対象書類名】明細書
【補正対象項目名】全文
【補正方法】変更
【補正の内容】
【考案の詳細な説明】
【技術分野】
【０００１】本考案は、薄形ＴＶの土台にＤＶＤスロットルとデジタルカメラをつけた部品に関するものである。
【背景技術】
【０００２】薄形ＴＶにはＤＶＤ一体となったものがなく、他のＤＶＤスロットルとのリンクが幼稚であり、不満が絶えなかった
【考案の開示】
【考案が解決しようとしている課題】
【０００３】  薄型ＴＶの土台部分にＤＶＤスロットル部品が内蔵されており、（ＤＶＤプレーヤーのＤＶＤ再生形状ＣＤ再生機械およびデジタルカメラ内蔵）
ＤＶＤ観賞に使う家電の新しいタイプで、他のＤＶＤコンテンツ融合といいため内蔵されている器材部品である。薄型ＴＶはＤＶＤ再生機が別売りであり、また一体化なるものもＴＶ本体へのセットアップでないために不便であった。
【課題を解決するための手段】
【０００４】本考案は、ＨＤＤＶＤとブルーレイという規格統一が成されておらず、他のＤＶＤコーダーとのリンク作用が幼稚であった。よって今回の考案により、不便を解消して、一台でもＤＶＤコンテンツを再生観賞できるようにしたＤＶＤを特徴としたカメラ付きＴＶにより課題を解決する
【考案の効果】
【０００５】上記のように、本考案でＤＶＤ観賞を快適にする考案がある
【考案を実施するための最良の形態】
【０００６】      薄型ＴＶの土台部分にＤＶＤスロットル部品が内蔵されており、（ＤＶＤプレーヤーのＤＶＤ再生形状ＣＤ再生機械およびデジタルカメラ内蔵）
ＤＶＤ観賞に使う家電の新しいタイプで、他のＤＶＤコンテンツ融合といいため内蔵されている器材部品である。薄型ＴＶはＤＶＤ再生機が別売りであり、また一体化なるものもＴＶ本体へのセットアップでないために不便であった。一体とすることによりＤＶＤ観賞は自在となる
【実施例】
【０００７】
0003136260.tif 000009
内蔵）ＤＶＤ観賞に使う家電の新しいタイプのＤＶＤＴＶ。【０００８】上記のように設置することによりＤＶＤ観賞を快適にする部品である。
【図面の簡単な説明】
【０００９】［補正の内容］  図面    カメラ付ＤＶＤスロットルにおける図面である。【図１】
【符号の説明】
【００１０】１は、薄型ＴＶ
２は、ＤＶＤ・デジタルカメラ内蔵器材
【手続補正３】
【補正対象書類名】手続補正書
【補正対象項目名】手続補正１
【補正の内容】
【手続補正１】
【補正対象書類名】図面
【補正対象項目名】全図
【補正方法】変更
【補正の内容】
【図１】
0003136260.tif 000010
【手続補正書】
【提出日】平成19年4月20日(2007.4.20)
【手続補正１】
【補正対象書類名】実用新案登録請求の範囲
【補正対象項目名】全文
【補正方法】変更
【補正の内容】
【実用新案登録請求の範囲】
【請求項１】
薄型ＴＶの土台部分にＤＶＤスロットル器材が内蔵されており、ＤＶＤプレーヤーのＣＤ再生機械およびカメラ内蔵のＴＶとＤＶＤコーダーの組合せ実願である。
【手続補正２】
【補正対象書類名】手続補正書
【補正対象項目名】手続補正１
【補正の内容】
【手続補正１】
【補正対象書類名】明細書
【補正対象項目名】全文
【補正方法】変更
【補正の内容】
【考案の詳細な説明】
【技術分野】
【０００１】本考案は、薄形ＴＶの土台にＤＶＤスロットルとデジタルカメラをつけた部品に関するものである。
【背景技術】
【０００２】薄形ＴＶにはＤＶＤ一体となったものがなく、他のＤＶＤスロットルとのリンクが幼稚であり  不満が絶えなかった。
【考案の開示】
【考案が解決しようとしている課題】
【０００３】  薄型ＴＶの土台部分にＤＶＤスロットル部品が内蔵されており、ＤＶＤプレーヤーのＤＶＤ再生形状ＣＤ再生機械およびデジタルカメラ内蔵のＤＶＤ観賞に使う家電の新しい物品。
薄型ＴＶはＤＶＤ再生機が別売りであり、また一体化なるものもＴＶ本体へのセットアップでないために不便であった。
【課題を解決するための手段】
【０００４】本考案は、ＨＤＤＶＤとブルーレイという規格統一が成されておらず、他のＤＶＤコーダーとのリンク作用が幼稚であった。よって今回の考案により不便を解消して、一台でもＤＶＤコンテンツを再生観賞できるようにしたＤＶＤを特徴としたカメラ付きＴＶにより課題を解決する
【考案の効果】
【０００５】上記のように、本考案でＤＶＤ観賞を快適にする考案がある。
【考案を実施するための最良の形態】
【０００６】      薄型ＴＶの土台部分にＤＶＤスロットル部品が内蔵されており、ＤＶＤプレーヤーのＤＶＤ再生形状ＣＤ再生機械およびデジタルカメラ内蔵のＤＶＤ観賞に使う家電の新しい物品。
薄型ＴＶはＤＶＤ再生機が別売りであり、また一体化なるものもＴＶ本体へのセットアップでないために不便であった。
一体とすることによりＤＶＤ観賞は自在となる組合せ実願。
【実施例】
【０００７】      薄型ＴＶ（１）の土台部分にＤＶＤスロットル部品（２）が内蔵されてお
0003136260.tif 000011
内蔵のＤＶＤ観賞に使う家電の新しいタイプのＤＶＤＴＶ組合せ実願である。【０００８】上記のように設置することによりＤＶＤ観賞を快適にする部品である。
【図面の簡単な説明】
【０００９】
【補正の内容】
図面  カメラ付ＤＶＤスロットルデッキと薄型ＴＶにおける組合せ図面である。
【図１】
【符号の説明】
【００１０】１は、薄型ＴＶ
２は、ＤＶＤ・デジタルカメラ内蔵器材
【手続補正３】
【補正対象書類名】手続補正書
【補正対象項目名】手続補正１
【補正の内容】
【手続補正１】
【補正対象書類名】図面
【補正対象項目名】全図
【補正方法】変更
【補正の内容】
【図１】
0003136260.tif 000012
【手続補正書】
【提出日】平成19年7月5日(2007.7.5)
【手続補正１】
【補正対象書類名】手続補正書
【補正対象項目名】手続補正２
【補正方法】削除
【補正の内容】
【手続補正２】
【補正対象書類名】手続補正書
【補正対象項目名】手続補正３
【補正方法】削除
【補正の内容】